(57)【要約】      （修正有）【課題】単独光、複合光を夜間又は暗黒時に植物に照射し植物の葉体内にフェノール物質の含有量を増加させ、フザリウム病の防除の光線利用方法を提供する。【解決手段】ＬＥＤの青色光、緑色光、黄色光、赤色光の単独光又は、複合光線を有する装置にて、夜間または、暗黒時に当該単独光又は、当該複合光線を植物に照射し、当該植物の葉体内にフェノール含有量を増加させる、フザリウム病防除の光線利用方法。【選択図】図４
2016002081.tif 000002
【特許請求の範囲】
【請求項１】
青色光線の青色ＬＥＤと緑色光線の緑色ＬＥＤが配置、設置されている当該ＬＥＤであり、青色光線の青色ＬＥＤに対して緑色光線の緑色ＬＥＤの設置割合は少であり、配列にては、当該青色ＬＥＤに対して当該緑色ＬＥＤは、少なる配置割合を保持しつつ置き並べられて設置されている、青色光線と緑色光線との複合光線を有する、当該ＬＥＤと当該単独光線を有する青色光線の当該青色ＬＥＤとを一平面状に置き並べ、当該複合光線を有するＬＥＤと当該単独光線を有する青色光線の当該青色ＬＥＤとを個々別々又は、同時に、点灯照射の時間を変えることを可能にして夜間又は、暗黒時に当該植物苗に点灯照射し、当該植物苗の葉体内にフェノール含有量を増加させてフザリウム病防除の光線利用する方法。
【請求項２】
青色光線の青色ＬＥＤと黄色光線の黄色ＬＥＤが配置、設置されている当該ＬＥＤであり、青色光線の青色ＬＥＤに対して黄色光線の黄色ＬＥＤの設置割合は少であり、配列にては、当該青色ＬＥＤに対して当該黄色ＬＥＤは、少なる配置割合を保持しつつ置き並べられて設置されている、青色光線と黄色光線との複合光線を有する、当該ＬＥＤと当該単独光線を有する青色光線の当該青色ＬＥＤとを一平面状に置き並べ、当該複合光線を有するＬＥＤと当該単独光線を有する青色光線の当該青色ＬＥＤとを個々別々又は、同時に、点灯照射の時間を変えることを可能にして夜間又は、暗黒時に当該植物苗に点灯照射し、当該植物苗の葉体内にフェノール含有量を増加させてフザリウム病防除の光線利用する方法。
【請求項３】
青色光線の青色ＬＥＤと赤色光線の赤色ＬＥＤが配置、設置されている当該ＬＥＤであり、青色光線の青色ＬＥＤに対して赤色光線の赤色ＬＥＤの設置割合は少であり、配列にては、当該青色ＬＥＤに対して当該赤色ＬＥＤは、少なる配置割合を保持しつつ置き並べられて設置されている、青色光線と赤色光線との複合光線を有する、当該ＬＥＤと当該単独光線を有する青色光線の当該青色ＬＥＤとを一平面状に置き並べ、当該複合光線を有するＬＥＤと当該単独光線を有する青色光線の当該青色ＬＥＤとを個々別々又は、同時に、点灯照射の時間を変えることを可能にして夜間又は、暗黒時に当該植物苗に点灯照射し、当該植物苗の葉体内にフェノール含有量を増加させてフザリウム病防除の光線利用する方法。
【請求項４】
青色光線の青色ＬＥＤと赤色光線の赤色ＬＥＤが配置、設置されている当該ＬＥＤであり、単独光線を有する青色光線の当該青色ＬＥＤと単独光を有する赤色光の当該赤色ＬＥＤとを個々別々に又は、同時に、点灯照射の照射時間を変えることを可能にして一平面上に置き並べて夜間又は、暗黒時に当該植物苗に点灯照射し、当該植物苗の葉体内にフェノール含有量を増加させてフザリウム病防除の光線利用する方法。
【請求項５】
青色光線の青色ＬＥＤと黄色光線の黄色ＬＥＤが配置、設置されている当該ＬＥＤであり、単独光線を有する青色光線の当該青色ＬＥＤと単独光を有する黄色光の当該黄色ＬＥＤとを個々別々に又は、同時に、点灯照射の照射時間を変えることを可能にして一平面上に置き並べて夜間又は、暗黒時に当該植物苗に点灯照射し、当該植物苗の葉体内にフェノール含有量を増加させてフザリウム病防除の光線利用する方法。
【請求項６】
青色光線の青色ＬＥＤと緑色光線の緑色ＬＥＤが配置、設置されている当該ＬＥＤであり、単独光線を有する青色光線の当該青色ＬＥＤと単独光を有する緑色光の当該緑色ＬＥＤとを個々別々に又は、同時に、点灯照射の照射時間を変えることを可能にして一平面上に置き並べて夜間又は、暗黒時に当該植物苗に点灯照射し、当該植物苗の葉体内にフェノール含有量を増加させてフザリウム病防除の光線利用する方法。
【請求項７】
緑色光線の緑色ＬＥＤと黄色光線の黄色ＬＥＤが配置、設置されている当該ＬＥＤであり、単独光線を有する緑色光線の当該緑色ＬＥＤと単独光線を有する黄色光線の当該黄色ＬＥＤとを個々別々に又は、同時に、点灯照射の照射時間を変えることを可能にして一平面上に置き並べて夜間又は、暗黒時に当該植物苗に点灯照射し、当該植物苗の葉体内にフェノール含有量を増加させてフザリウム病防除の光線利用する方法。
【請求項８】
青色光線の青色ＬＥＤと緑色光線の緑色ＬＥＤが配置、設置されている当該ＬＥＤであり、青色光線の青色ＬＥＤに対して緑色光線の緑色ＬＥＤの設置割合は少であり、配列にては、当該青色ＬＥＤに対して当該緑色ＬＥＤは、少なる配置割合を保持しつつ置き並べられて設置されている、青色光線と緑色光線との複合光線を有する、当該ＬＥＤを一平面状に置き並べ、当該複合光線を有するＬＥＤ於いて、青色光線の当該青色ＬＥＤは、調光をせずに、青色光線の青色ＬＥＤに対しての配置、設置割合は少である、緑色光線の緑色ＬＥＤのみを調光せしめることを可能にして夜間又は、暗黒時に当該植物苗に点灯照射し、当該植物苗の葉体内にフェノール含有量を増加させてフザリウム病防除の光線利用する方法。
【請求項９】
青色光線の青色ＬＥＤと黄色光線の黄色ＬＥＤが配置、設置されている当該ＬＥＤであり、青色光線の青色ＬＥＤに対して黄色光線の黄色ＬＥＤの設置割合は少であり、配列にては、当該青色ＬＥＤに対して当該黄色ＬＥＤは、少なる配置割合を保持しつつ置き並べられて設置されている、青色光線と黄色光線との複合光線を有する、当該ＬＥＤを一平面状に置き並べ、当該複合光線を有するＬＥＤ於いて、青色光線の当該青色ＬＥＤは、調光をせずに、青色光線の青色ＬＥＤに対しての配置、設置割合は少である、黄色光線の黄色ＬＥＤのみを調光せしめることを可能にして夜間又は、暗黒時に当該植物苗に点灯照射し、当該植物苗の葉体内にフェノール含有量を増加させてフザリウム病防除の光線利用する方法。
【発明の詳細な説明】
【技術分野】
【０００１】本発明は、植物の葉体に夜間、暗黒時に青色光、緑色光、黄色光、赤色光の複合光線又は、単独光線を照射しうる装置にて、植物の葉体内にフェノール物質含有量の増加を促しフザリウム病防除方法に関する。
【背景技術】
【０００２】植物の栽培において土壌伝染性病害、フザリウム病の多発による被害により、作物生産量の減収が大きな問題となっている。殺菌を防除の為に多大な経費を掛け農薬にての防除を施用しているのが現実であります。しかし薬剤の耐性が付きやすく農薬防除が困難になっている。
農薬防除の処理回数の多さにより、植物の成育を妨げている。【０００３】フザリウム病による感染は、地下部からのみならず、茎葉からの感染もする、しかるに薬剤を利用し、フェノール物質であるリグニンを多く蓄積をさせ、細胞壁成分を増加させるなどし、フザリウム病感染防ぐ為に、古くから薬剤処理技術を重ねてきた。
植物自体の体内に有するフェノール物質のリグニンにより、細胞壁成分を増加させ、フザリウム病感染防止効果である事は、周知のことであり、多くの学術書にても明記させている。
【発明が解決しようとする課題】
【０００４】植物栽培にて、土壌伝染性病害が特に被害が多く、一般の使用防除の農薬が少ない為に多くの困難さがある。
特にいちご栽培にて、フザリウム病感染による硫黄病防除対策に苦慮している。
【課題を解決するための手段】
【０００５】植物の葉体内に青色、緑色、赤色、黄色の複合させた光線又は単独光線を夜間、又は暗黒時に照射しうる装置にて、当該植物の一定の上面から照射し、フェノール物質含有量の増加を促し、当該植物の葉体内の導管細胞や細胞壁の強度を増すための、効果を促し、フザリウム病の防除方法。
【０００６】又、フェノール物質は、本来植物自体生合成している物質で、害虫が葉体を大量に食べ続けるとやがて害虫は弱り死滅することにより、植物自体の育成を保持させて、害虫の大量発生を防止させている穏やかな毒といわれている物質でもあります。
本来植物自体生合成している物質で、フェノール物質であり、タンニンやセルロースにつぎ多く含有されている、リグニン等もある。
【０００７】本発明によれば、青色、緑色、黄色、赤色の複合色光線又は、単独光線を利用しうる装置にて、夜間、又は暗黒時に照射し、フェノール含有量の増加をさせ、フザリウム病防除方法を発明した。
【発明を実施するための形態】
【０００８】本発明の実施形態を、フェノール含有量を精度の高い方法にて４−アミノアンチピリン測定法にて測定する。当発明の基準になった上記記載の４−アミノアンチピリン測定法に基づき、いちご植物の葉体を乾燥後熱湯にて煮沸し、ろ過抽出しクロロホルム、フェノール試薬処理をし、２段階分析後にサンプルを取り出しＨＡＣＨ社製分光光度計３０００Ｒにてフェノール含有量の測定を行っています。
【０００９】特願２０１２−２７７４１１
特願２０１３−２５９５８１
特願２０１４−４９４１３
【００１０】上記記載〈０００９〉項にては、光線利用の装置とフェノール含有量の増加等が実証されている事が明記されている。
【００１１】上記記載〈０００９〉項記載。
特願２０１３−２５９５８１にて夜間いちご植物の１．５ｍの高さからＬＥＤ照射４０日目のデータを表３にて表示。
青色単独光・・・・・・・フェノール含有量  ０．２７ｍｇ／Ｌ
緑色単独光・・・・・・・フェノール含有量  ０．２４ｍｇ／Ｌ
青色と緑色の複合光・・・フェノール含有量  ０．３１ｍｇ／Ｌ
無照射・・・・・・・・・フェノール含有量  ０．１７ｍｇ／Ｌ
上記フェノール含有量増加が表示されている。
【００１２】上記記載〈０００９〉項記載。
特願２０１３−２５９５８１にて夜間いちご植物の１．５ｍの高さからＬＥＤ照射４０日目のデータを表６にて表示。
緑色と黄色の複合光・・・・・・・・・・・フェノール含有量  ０．２４５ｍｇ／Ｌ
緑色と赤色の複合光・・・・・・・・・・・フェノール含有量  ０．２０ｍｇ／Ｌ
緑色と黄色の複合光＋青色光・・・・・・・フェノール含有量  ０．３０ｍｇ／Ｌ
緑色と赤色の複合光＋青色光・・・・・・・フェノール含有量  ０．２６ｍｇ／Ｌ
上記フェノール含有量増加が表示されている。
【００１３】上記記載〈０００９〉項にては、青色光、緑色光の単独光、又は、青色光、緑色光、黄色光、赤色光のＬＥＤによる複合光線を夜間いちご植物に１．５ｍの高さから当該ＬＥＤにて照射をし、フェノール含有量の夜間照射による表示のデータをもとに、フェノール含有量の増加量を〈００１４〉、〈００１５〉、〈００１６〉、〈００１７〉、〈００１８〉、〈００１９〉、〈００２０〉、〈００２１〉、項にて、上記記載項目を考察し比較表示し、以下項目記載〈００１４〉、〈００１５〉、〈００１６〉、〈００１７〉、〈００１８〉、〈００１９〉、〈００２０〉、〈００２１〉、項ごとに、比較記載表示した。
【００１４】青色単独光・・・フェノール含有量  ０．２７ｍｇ／Ｌと、
緑色単独光・・・フェノール含有量  ０．２４ｍｇ／Ｌと、比較すると青色単独光がフェノール含有量やや多い値が表示されている。
【００１５】緑色と黄色の複合光・・・・フェノール含有量  ０．２４５ｍｇ／Ｌと
緑色と黄色の複合光＋青色光・・フェノール含有量  ０．３０ｍｇ／Ｌとを、比較すると、青色光を加えた方が・・フェノール含有量やや多い値が表示されている。
【００１６】緑色と赤色の複合光・・・・フェノール含有量  ０．２０ｍｇ／Ｌと
緑色と赤色の複合光＋青色光・・フェノール含有量  ０．２６ｍｇ／Ｌとを、比較すると、青色光を加えた方が・・フェノール含有量やや多い値が表示されている。
【００１７】上記記載の比較にて青色光を加える事によりフェノール含有量が、増加することが表示されている。
【００１８】上記記載〈０００９〉項記載。
特願２０１４−４９４１３にて夜間いちご植物の１．５ｍの高さからＬＥＤ照射３０日目のデータを表１にて表示。
緑色と黄色の複合光（３Ｈ）＋青色光ＬＥＤ（３Ｈ）・フェノール含有量  ０．２７ｍｇ／Ｌ
緑色と赤色の複合光（３Ｈ）＋青色光ＬＥＤ（３Ｈ）・フェノール含有量  ０．２５ｍｇ／Ｌ
青色光を加えると、より多くフェノール含有量増加が表示されている。
【００１９】上記記載〈０００９〉項記載。
特願２０１４−４９４１３にて夜間いちご植物の１．５ｍの高さからＬＥＤ照射３０日目のデータを表２にて表示。
緑色と黄色の複合光（３Ｈ）＋青色光ＬＥＤ（６Ｈ）・フェノール含有量  ０．３８ｍｇ／Ｌ
緑色と赤色の複合光（３Ｈ）＋青色光ＬＥＤ（６Ｈ）・フェノール含有量  ０．３４ｍｇ／Ｌ
青色光を加えると、より多くフェノール含有量増加が表示されている。
【００２０】緑色と黄色の複合光（３Ｈ）＋青色光ＬＥＤ（３Ｈ）・フェノール含有量０．２７ｍｇ／Ｌ
緑色と黄色の複合光（３Ｈ）＋青色光ＬＥＤ（６Ｈ）・フェノール含有量  ０．３８ｍｇ／Ｌ
とを、比較すると青色光ＬＥＤ（３Ｈ）から青色光ＬＥＤ（６Ｈ）にすることによりフェノール含有量が大きく増加が表示されている。
【００２１】緑色と赤色の複合光（３Ｈ）＋青色光ＬＥＤ（３Ｈ）・フェノール含有量  ０．２５ｍｇ／Ｌ
緑色と赤色の複合光（３Ｈ）＋青色光ＬＥＤ（６Ｈ）・フェノール含有量  ０．３４ｍｇ／Ｌ
とを、比較すると青色光ＬＥＤ（３Ｈ）から青色光ＬＥＤ（６Ｈ）にすることによりフェノール含有量が大きく増加が表示されている。
【実施例】
【００２２】いちご育苗ハウス間口６ｍ奥行２０ｍの育苗ハウスにて定植苗３５００本を試験区にした。
上記記載の〈００１１〉、〈００１２〉、〈００１３〉、〈００１４〉、〈００１５〉、〈００１６〉、〈００１７〉、〈００１８〉、〈００１９〉、〈００２０〉、〈００２１〉、項記載による、データにより、青色光を加え又は、植物苗に夜間点灯時間を延長する事にて、フェノール物質がより多く植物苗体内に増加することが考察表示されている。
実施例の夜間点灯によるＬＥＤは、青色光強化をした光源として、青色ＬＥＤの青色光を増加した。【００２３】上記記載の〈００２２〉項による、フェノール物質増加の考察によるデータにて、青色光強化をした光源として、青色ＬＥＤの青色光を増加する。
青色光の青色ＬＥＤの配置、設置数の５０％以下の配列、配置を保持させて、緑色光の緑色ＬＥＤを配置、設置割合を保持し、構築した当該複合光を有するＬＥＤ。
又、当該複合光を有するＬＥＤの緑色光の緑色ＬＥＤを調光可能にした。
青色光の青色ＬＥＤの配置、設置数の５０％以下の配列、配置を保持させて、黄色光の黄色ＬＥＤを配置、設置割合を保持し、構築した当該複合光を有するＬＥＤ。
又、当該複合光を有するＬＥＤの黄色光の黄色ＬＥＤを調光可能にした。【００２４】上記〈００２２〉記載のいちご育苗ハウス内に於いて効果、結果を図１、図２、図３、図４、図５及び表１、実施例に基づき詳細に説明する。【００２５】いちご育苗ハウス平面図１のＡ−Ａ矢視立面図２の表示の如く、定植苗４の上面１．５ｍの高さに実施例としては、好ましくて、青色ＬＥＤ１３８個と緑色ＬＥＤ６個の合計１４４個にて複合光線を有する当該ＬＥＤとしてＬＥＤ１を構築した。
いちご育苗ハウス平面図１の表示の如くいちご育苗ハウス８の奥行に５ｍ間隔にいちご育苗ハウス８の間口と平行に複合光線を有する当該ＬＥＤであるＬＥＤ１を吊り下げ設置した。【００２６】次にいちご育苗ハウス平面図１のＢ−Ｂ矢視図立面図３の表示の如く、定植苗５の上面１．５ｍの高さに実施例としては、好ましくて、青色ＬＥＤ１３８個と黄色ＬＥＤ６個の合計１４４個にて複合光線を有する当該ＬＥＤとしてＬＥＤ２を構築した。
いちご育苗ハウス平面図１の表示の如くいちご育苗ハウス８の奥行に５ｍ間隔にいちご育苗ハウス８の間口と平行に複合光線を有する当該ＬＥＤであるＬＥＤ２を吊り下げ設置した。【００２７】次にいちご育苗ハウス平面図１のＣ−Ｃ矢視図立面図４の表示の如く、定植苗６の上面１．５ｍの高さに複合光線を有するＬＥＤとして構築したＬＥＤ１を，５ｍ間隔にいちご育苗ハウス８の間口と平行に吊り下げ設置した。
ＬＥＤ１とＬＥＤ１との中間にいちご育苗ハウス８の間口と直角方向に単独光の青色ＬＥＤ３をいちご育苗ハウス平面図１の表示の如く吊り下げ設置した。【００２８】次にいちご育苗ハウス平面図１のＤ−Ｄ矢視図立面図５の表示の如く、定植苗７の上面１．５ｍの高さに複合光線を有するＬＥＤとして構築したＬＥＤ２を、５ｍ間隔にいちご育苗ハウス８の間口と平行に吊り下げ設置した。
ＬＥＤ２とＬＥＤ２との中間にいちご育苗ハウス８の間口と直角方向に単独光の青色ＬＥＤ３をいちご育苗ハウス平面図１の表示の如く吊り下げ設置した。【００２９】表１は、いちご育苗ハウス８にて定植苗４、定植苗５、定植苗６、定植苗７に３０日間夜間点灯照射し表示し表１とした。表２は、点灯無照射の定植苗を選択し表示した。【００３０】表１表示のＬＥＤの光源の、
青色光ＬＥＤ１３８個＋緑色光ＬＥＤ６個＝複合光  とは、
ＬＥＤの光源の為の青色光ＬＥＤ１３８個と緑色光ＬＥＤ６個とを設置配置構築した当該ＬＥＤである、当該ＬＥＤの複合光の事である。【００３１】表１表示のＬＥＤの光源の、
青色光ＬＥＤ１３８個＋黄色光ＬＥＤ６個＝複合光  とは、
ＬＥＤの光源の為の青色光ＬＥＤ１３８個と黄色光ＬＥＤ６個とを設置配置構築した当該ＬＥＤである、当該ＬＥＤの複合光の事である。【００３２】表１表示のＬＥＤの光源の、
青色光ＬＥＤ１３８個＋緑色光ＬＥＤ６個＝複合光と青色ＬＥＤとは、
ＬＥＤの光源の為の青色光ＬＥＤ１３８個と緑色光ＬＥＤ６個とを設置配置構築した当該ＬＥＤである、当該ＬＥＤの複合光と青色単独光のＬＥＤとの複合光の事である。【００３３】  表１表示のＬＥＤの光源の、
青色光ＬＥＤ１３８個＋黄色光ＬＥＤ６個＝複合光と青色ＬＥＤとは、
ＬＥＤの光源の為の青色光ＬＥＤ１３８個と黄色光ＬＥＤ６個とを設置配置構築した当該ＬＥＤである、当該ＬＥＤの複合光と青色単独光のＬＥＤとの複合光のことである。【００３４】表１表示のＬＥＤの光源の、
青色光ＬＥＤ１３８個＋緑色光ＬＥＤ６個＝複合光・・・・
フェノール含有量は、      ０．２８ｍｇ／Ｌ
表１表示のＬＥＤの光源の、
青色光ＬＥＤ１３８個＋黄色光ＬＥＤ６個＝複合光・・・・
フェノール含有量は、      ０．２６８ｍｇ／Ｌ
表１表示のＬＥＤの光源の、
青色光ＬＥＤ１３８個＋緑色光ＬＥＤ６個＝複合光と青色ＬＥＤとの複合光・・・
フェノール含有量は、      ０．３６ｍｇ／Ｌ
表１表示のＬＥＤの光源の、
青色光ＬＥＤ１３８個＋黄色光ＬＥＤ６個＝複合光と青色ＬＥＤとの複合光・・・
フェノール含有量は、      ０．３２ｍｇ／Ｌ
表２表示のＬＥＤ点灯照射処理無しにて、圃場定植
フェノール含有量は、      ０．１７５ｍｇ／Ｌ【００３５】表１表示のＬＥＤの光源の、
青色光ＬＥＤ１３８個＋緑色光ＬＥＤ６個＝複合光・・・・
フザリウム病感染本数、        ５０本
表１表示のＬＥＤの光源の、
青色光ＬＥＤ１３８個＋黄色光ＬＥＤ６個＝複合光・・・・
フザリウム病感染本数、        ９０本
表１表示のＬＥＤの光源の、
青色光ＬＥＤ１３８個＋緑色光ＬＥＤ６個＝複合光と青色ＬＥＤとの複合光・・・
フザリウム病感染本数、        ４本
表１表示のＬＥＤの光源の、
青色光ＬＥＤ１３８個＋黄色光ＬＥＤ６個＝複合光と青色ＬＥＤとの複合光・・・
フザリウム病感染本数、        １０本
表２表示のＬＥＤ点灯照射処理無しにて、圃場定植
フザリウム病感染本数、        約２５０本
【表１】
2016002081.tif 000003
【表２】
2016002081.tif 000004
【００３６】〈００２２〉項記載による、データにより、青色光を加え又は、植物苗に夜間点灯時間を延長する事にて、フェノール物質がより多く植物苗体内に増加することが考察表示されている。
実施例の夜間点灯によるＬＥＤは、青色光強化をした光源として、青色ＬＥＤの青色光を増やし、実施例とした。【００３７】〈００３４〉項にて、フェノール含有量増加を青色ＬＥＤの青色光を増やし、実施例を基にして比較した。
青色光ＬＥＤ１３８個＋緑色光ＬＥＤ６個＝複合光・・・・
フェノール含有量は、      ０．２８ｍｇ／Ｌ  と
青色光ＬＥＤ１３８個＋緑色光ＬＥＤ６個＝複合光と青色ＬＥＤとの複合光・・・
フェノール含有量は、      ０．３６ｍｇ／Ｌ  とを、比較すると青色ＬＥＤの青色光を加えることによりフェノール含有量は、０．０８ｍｇ／Ｌ増加した。【００３８】  青色光ＬＥＤ１３８個＋黄色光ＬＥＤ６個＝複合光・・・・
フェノール含有量は、      ０．２６８ｍｇ／Ｌ  と
青色光ＬＥＤ１３８個＋黄色光ＬＥＤ６個＝複合光と青色ＬＥＤとの複合光・・・
フェノール含有量は、      ０．３２ｍｇ／Ｌ  とを、比較すると青色ＬＥＤの青色光を加えることによりフェノール含有量は、０．０５２ｍｇ／Ｌ増加した。【００３９】又、表２にてのＬＥＤ点灯照射処理無し、の定植苗の
フェノール含有量は、      ０．１７５ｍｇ／Ｌ  と
青色光ＬＥＤ１３８個＋黄色光ＬＥＤ６個＝複合光と青色ＬＥＤとの複合光・・・
フェノール含有量は、      ０．３２ｍｇ／Ｌ  とを、比較すると、
フェノール含有量は、０．１４５ｍｇ／Ｌと大きく増加した。【００４０】又、〈００３５〉項にて、フェノール含有量増加を青色ＬＥＤの青色光を増やし、実施例を基にしてフザリウム病感染苗の本数にて比較した。【００４１】青色光ＬＥＤ１３８個＋緑色光ＬＥＤ６個＝複合光・・・・
フザリウム病感染本数、  ５０本  と
青色光ＬＥＤ１３８個＋緑色光ＬＥＤ６個＝複合光と青色ＬＥＤとの複合光・・・
フザリウム病感染本数、  ４本  とを、比較すると、
フザリウム病感染本数、は大きく減少した。【００４２】青色光ＬＥＤ１３８個＋黄色光ＬＥＤ６個＝複合光・・・・
フザリウム病感染本数、  ９０本  と
青色光ＬＥＤ１３８個＋黄色光ＬＥＤ６個＝複合光と青色ＬＥＤとの複合光・・・
フザリウム病感染本数、  １０本  とを、比較すると、
フザリウム病感染本数、は大きく減少した。【００４３】又、表２にてのＬＥＤ点灯照射処理無し、の定植苗の
フザリウム病感染本数、約２５０本  と、
青色光ＬＥＤ１３８個＋緑色光ＬＥＤ６個＝複合光と青色ＬＥＤとの複合光・・・
フザリウム病感染本数、４本  とを、比較すると、
フザリウム病感染本数、は大きく減少した。【００４４】〈００３７〉、〈００３８〉、〈００３９〉、〈００４０〉、〈００４１〉、〈００４２〉、〈００４３〉、項記載の如く、ＬＥＤの単独光、又は複合光線を当該定植苗に夜間照射をすることにより当該定植苗にフェノール物質を増加させることにより、土壌伝染性病害であるフザリウム病の防除となる事を実証出来た。【００４５】土壌伝染性病害であるフザリウム病の防除の為に、土壌伝染性病害となる、フザリウムをより多く滅菌するために、自然界に存在する、ストレストマイセス属等の微生物を土壌に混和させ、微生物に微生物を食わせ、有効な微生物を増殖させて、より根圏における有効な微生物を働かせて、フザリウム病対策が単独光又は、複合光線利用との方法にて効率良く土壌伝染性病害防除出来る。【００４６】前記記載の〈０００９〉、項にて記載にて、フェノール物質増加が、実証明示されている。【００４７】フザリウム病による感染は、地下部からのみならず、茎葉からの感染もする、しかるに薬剤を利用し、フェノール物質であるリグニンを多く蓄積をさせ、細胞壁成分を増加させるなどし、フザリウム病感染防ぐ為に、古くから薬剤処理技術を重ねてきたことは、フェノール物質増加による効果である事は、周知のことであり、多くの学術書にても明記させている。【００４８】植物自体の葉体に害虫防除効果を持つフェノール物質のタンニンよる効果によるフェノール物質の弱いながらの効果は周知のことである。
又、フェノール物質中のリグニンが、植物自体の細胞壁の強化を促し、導管細胞に於いては、植物自体保持している、フェノール物質中の、リグニンが多く蓄積し細胞壁を強化しフザリウムの侵入を防ぐ効果を促し、フザリウム病防除の弱いながらの効果は周知のことである。【００４９】〈００４７〉、〈００４８〉項記載の如くフェノール物質の増加効果による当該植物の細胞壁の強化を促し、導管細胞に於いては、フェノール物質たる、リグニンが多く蓄積し細胞壁を強化しフザリウムの侵入を防ぐ効果を促しうる為に、化学物質素材にて、今日まで対応してきた。【００５０】当考案は、単独光線、複合光線を利用し夜間、又は暗黒時に植物に照射し当該植物の葉体内にフェノール物質を増加させ、フザリウム病防除方法を考案した。【００５１】植物の葉体に夜間、暗黒時に青色光、緑色光、黄色光、赤色光の複合光線を有する装置にて当該植物に照射処理ことにより、いちご植物、とまと、きゅうり、ピーマン、すいか、メロン等の果菜類や小松菜、チンゲン菜、ほうれん草等の葉菜類植物や菊、ガーベラ、カーネンション、らん、シクラメン、ユリ等の花卉類又さくらんぼ、オウトウ等の果樹類のフザリウム病防除方法が出来る。【００５２】夜間、暗黒時とは、植物への太陽光等の自然光線が減少または、遮断した状態を云う。【００５３】調光とは、一定範囲のＬＥＤの有効な電源電圧を変化させたり、電力量を調整したりし、照度や波長域に変化をもたらすることである。
【図面の簡単な説明】
【００５４】
【図１】は、いちご育苗ハウス平面図。
【図２】は、Ａ−Ａ矢視立面図。
【図３】は、Ｂ−Ｂ矢視立面図。
【図４】は、Ｃ−Ｃ矢視立面図。
【図５】は、Ｄ−Ｄ矢視立面図。
【符号の説明】１・・青色光ＬＥＤ１３８個と緑色光ＬＥＤ６個が配置、設置されて合計１４４個の複合          光線を有するＬＥＤ１
２・・青色光ＬＥＤ１３８個と黄色光ＬＥＤ６個が配置、設置されて合計１４４個の複合          光線を有するＬＥＤ２
３・単独光の青色ＬＥＤ３        ４・・いちご定植苗    ５・・いちご定植苗
６・・いちご定植苗    ７・・いちご定植    ８・・いちご育苗ハウス
【図１】
2016002081.tif 000005
【図２】
2016002081.tif 000006
【図３】
2016002081.tif 000007
【図４】
2016002081.tif 000008
【図５】
2016002081.tif 000009